(57)【要約】      （修正有）【課題】複数のボトルの首部に装着して複数のボトルを一緒に保持するためのボトルホルダであり、手提げ具で瓶を持ち上げた時に落下しないホルダを提供する。【解決手段】ボトルホルダ１は、ボトルの首部が通り得る大径部５と、首部が入り得る小径部４とが連続して形成された、複数の開口３が端部に設けられている板状のホルダ本体２を有し、ホルダ本体の略中央部を把持して持ち上げるようになっている。ボトルホルダは、小径部４がホルダ本体２の中央側で、大径部５がホルダ本体２の端部側に配置され、開口３の大径部内には支持片が撓み可能に配置され、支持片の小径部側と反対側がホルダ本体に固定されている。【選択図】図２
2005313912.tif 000002
【特許請求の範囲】
【請求項１】
複数のボトルの首部に装着して前記複数のボトルを一緒に保持するためのボトルホルダであって、前記ボトルの首部が通り得る大径部と、前記首部が入り得る小径部とが連続して形成された、複数の開口が端部に設けられている板状のホルダ本体を有し、ホルダ本体の略中央部を把持して持ち上げるボトルホルダにおいて、
前記小径部が前記ホルダ本体の中央側で、前記大径部が前記ホルダ本体の端部側に配置され、前記開口の大径部内には支持片が撓み可能に配置され、前記支持片の前記小径部側と反対側が前記ホルダ本体に固定されていることを特徴とするボトルホルダ。
【請求項２】
請求項１に記載のボトルホルダにおいて、前記ホルダ本体の一方の面には前記小径部の周囲に伸びかつ前記一方の面から突出する凸部が形成されているボトルホルダ。
【請求項３】
請求項１又は２に記載のボトルホルダにおいて、前記支持片が前記ホルダ本体の表面に固定され、前記ホルダ本外の平面より高いレベルの平面上に有るボトルホルダ。
【請求項４】
請求項３に記載のボトルホルダにおいて、前記凸部が前記開口の周囲に形成され、前記支持片が前記凸部に固定されているボトルホルダ。
【請求項５】
請求項１ないし４のいずれかに記載のボトルホルダにおいて、前記支持片の前記小径側の端縁は、ボトルホルダがボトルに装着されているときボトルの口部に装着されたキャップ又は前記口部と前記首部との間に形成されたつば部の下側に配置されるボトルホルダ。
【発明の詳細な説明】
【技術分野】
【０００１】
本発明は、例えばペットボトルのようなボトルを複数本まとめて保持するためのボトルホルダに関する。
【背景技術】
【０００２】
複数本、例えば２本のボトル、例えばペットボトルの首部に装着して複数のボトルを一度に保持できるようにした保持具は、下記特許文献１ないし３に示されるように、従来から種々開発されている。
このうち、特許文献1に記載された壜運搬用手提具は、長方形の又は三つ又状の把持部の端部にそれぞれ係合部を設け、その係合部に互いに連続する大径孔及び小径孔を形成し、大径部に壜の口部を挿入した後に壜の首部を小径孔で受けるように構成されている。
また、特許文献２に記載されたびん等の結束具は、板状の基材に略半円形の孔及びその孔に連続した空所を、複数個、孔が基材の端部側になるように形成し、空所内にはびんの移動止めとして機能する揺動片を配置してその揺動片を基材に一体的に固定して構成され、
びんの口部を揺動片を撓ませながら空所に通し、びんを基材に関して横方向にずらしてびんの首部を孔に入れて結束具を把持するようになっている。
【０００３】
更に、特許文献３に記載されたボトル用保持具は、合成樹脂製で板状の基板の両側部にそれぞれ嵌装部を設け、その嵌装部には、小径側と大径側を有する卵形の開口部を、小径側が外向きとなる（基板の端部側に配置される）ように設けて小径側を掛合部としかつ大径側を挿通部とし、開口部の大径側には帯板状のストッパー片を配置してそのストッパー片を基板に一体的に固定して構成され、キャップ付きボトルの口部をストッパー片を撓ませながら大径側に通し、ボトルを保持具に関して横方向にずらしてボトルの首部を小径側に入れて保持具を把持するようになっている。
【０００４】
【特許文献１】実開昭５８−３８５６５号公報
【特許文献２】実開昭５６−４３７６２号公報
【特許文献３】実開平２−１１０６３号公報
【発明の開示】
【発明が解決しようとする課題】
【０００５】
しかしながら、上記特許文献１に記載の手提具では単に大径側と小径側とが連続して形成されているだけであって、小径側に入れられた壜が大径側に移動するのを防止する手段が設けられておらず、手提具で壜を持ち上げたとき落下してしまう虞がある。
上記引用文献２に記載の結束具及び特許文献３に記載のボトル用保持具では、びん或いはボトルが結束具或いは保持具に関して相対的に移動するのを阻止するための手段として揺動片或いはストッパー片は設けられているが、空所或いは開口部の大径側が基板の中央側にかつ半径状孔或いは小径側が基板の端部側に配置されているため、揺動片或いはストッパー片も基板の中央側に配置されることとなる。このため、持ち上げたとき、ボトルの重さ（特に１．５リットル又は２リットルボトル）により保持具は中央部が上向きになるように湾曲状に撓み、図１に示されるように、保持具ａによるボトルの確実な支持点（ボトル側（具体的にはボトルに取り付けられたキャップ又はつば部）と保持具側の接触点）は、開口部の小径側ｂの縁と大径側ｃの縁との接続点近傍でボトルのつばｆ（２点鎖線で図示）と接触可能な２箇所ｄとなる。これは、空所或いは開口部の大径側が基板の中央側になり、揺動片或いはストッパー片が中央側からボトルの移動を阻止しているため、撓んでいる半径状孔或いは小径側がボトルと係合されないためである。この２箇所での接触により、ボトルの保持は不安定となっていた。
また、特許文献２及び３に記載の保持具では、その中央部を把持してボトルを持ち上げたとき、大径側の開口部内に指をいれてしまいストッパー片と保持部材との間で指を挟んでしまう不具合或いは指を引っかけてしまう不具合もあった。
【０００６】
本発明はかかる従来のボトルホルダの問題に鑑みなされたものであって、ボトルの首部に取り付けて複数のボトルを保持できる構造が簡単で、使用上安全なボトルホルダを提供するこを目的とする。
本発明の他の目的は、小径部と大径部とを有する開口を、小径部がホルダ本体の中央側でかつ大径部がホルダ本体の端部側となるように配置することによって、構造が簡単で、使用上安全なボトルホルダを提供することである。
【課題を解決するための手段】
【０００７】
本願の請求項１に記載の発明によれば、複数のボトルの首部に装着して前記複数のボトルを一緒に保持するためのボトルホルダであって、前記ボトルの首部が通り得る大径部と、前記首部が入り得る小径部とが連続して形成された、複数の開口が端部に設けられている板状のホルダ本体を有し、ホルダ本体の略中央部を把持して持ち上げるボトルホルダにおいて、
前記小径部が前記ホルダ本体の中央側で、前記大径部が前記ホルダ本体の端部側に配置され、前記開口の大径部内には支持片が撓み可能に配置され、前記支持片の前記小径部側と反対側が前記ホルダ本体に固定されていることを特徴とするボトルホルダが提供される。
この発明によれば、ホルダ本体の中央側にある小径部が、ボトルの口部に装着されたキャップ又は前記口部と前記首部との間に形成されたつば部等に係合するので、しっかりと保持されて安定性が向上するという効果を奏する。また、支持片が、ホルダ本体の端部側、したがってボトルホルダをボトルの首部に装着したときボトルより中央部側には配置されなくなり、ボトルホルダを把持したときに指を挟まれる虞はなくなるという効果を奏することができる。
さらに、ボトルの首部を挿通する大径部が外側にある、すなわち従来のものと比較して大径部間の距離が長いので、複数本のボトルの装脱着が容易になるという作業性向上の効果もある。
【０００８】
本願の請求項２に記載の発明によれば、上記ボトルホルダにおいて、前記ホルダ本体の一方の面には前記小径部の周囲に伸びかつ前記一方の面から突出する凸部が形成されているボトルホルダが提供される。
この発明によれば、ボトルの首部とボトルホルダとが嵌合されるので、ボトルが装着されているときに、ボトルが移動することを抑制できるという効果を奏することができる。
本願の請求項３に記載の発明によれば、上記ボトルホルダにおいて、前記支持片が前記ホルダ本体の表面に固定され、前記ホルダ本外の平面より高いレベルの平面上に有るボトルホルダが提供される。
この発明によれば、持ち上げたときのホルダ本体に生じる中央部上凸部の湾曲状の撓みを小さくすることができるので、より安定して保持できる。さらに、支持片が上向きに揺動し易く（撓み易く）なるため、ボトルの装脱着時における支持片の破損を抑制できるという効果も奏する。
本願の請求項４に記載の発明によれば、上記ボトルホルダにおいて、前記凸部が前記開口の周囲に形成され、前記支持片が前記凸部と同一平面上に有るボトルホルダが提供される。
この発明によれば、支持片とボトルホルダとの固着面積を大きくできるので、支持片の撓みによる折れをより抑制することができる。
本願の請求項５に記載の発明によれば、上記ボトルホルダにおいて、前記支持片の前記小径側の端縁は、ボトルホルダがボトルに装着されているときボトルの口部に装着されたキャップ又は前記口部と前記首部との間に形成されたつば部の下側に配置されるボトルホルダが提供される。
この発明によれば、ボトルホルダが中央を持ち上げたときに湾曲しても、ボトルのつば部の下面の略直径方向２カ所で確実な支持が可能となりボトルの安定した支持を確保できる効果を奏する。
【発明の実施の形態】
【０００９】
以下図面を参照して本発明によるボトルホルダの実施形態について説明する。
図２ないし図４において、本実施形態の一つである２ヶのペットボトルを連結保持するためのボトルホルダ１が示されている。ボトルホルダ１のホルダ本体２は、複数のボトルを保持し得る強度を備えたものであれば、樹脂製、紙製等、特に限定されるものではなく、強度、耐久性等から選別できるが、樹脂製とすることが好ましく、特に把持した際に脆性を示さないもの、すなわち適度に撓み可能な樹脂が好ましく、なかでも成形加工の容易さ、安価等の観点から、ポリプロピレンが好ましい。
本発明のボトルホルダ１は、ホルダ本体２の略中央部を把持して持ち上げることから、ホルダ本体２の形状は把持し易い形状がよく、例えば、図２に示すような流線形で略中央部の幅が３０ｍｍ程度となるような形状を好適に挙げることができる。
ホルダ本体の両端部にはホルダ本体２を表裏に貫通する開口３がそれぞれ形成されている。開口３は互いに連続する小径部４と大径部５とを有している。小径部４は、ボトルの首部（ボトルの口部に隣接した径の小さい部分）に設けられたつば部等に係合する形状であればよく、図２においては、半径ｒの半円状の内周縁６とその内周縁に連続する一対の直線状の内周縁７によって画定されている。また、大径部５は、ボトルの首部が挿通する形状であればよく、図２においては、半径Ｒの円弧状内周縁８によって画定されている。なお、大径部の形状は円形である必要はなく、例えば四角形の空間であってもよいが、本発明においてはボトルの首部の挿通部を、便宜上大径部と言うことにする。本発明においては、開口３の小径部４がホルダ本体２の中央（中央線Ｙ−Ｙ）側にかつ大径部５がホルダ本体の端部側になるように配置されている点に特徴がある。図２においては、ボトルホルダ１の中央線Ｙ−Ｙに対して左右対照に形成されているが、装着するボトル及びその組合せを考慮して、小径部及び大径部の形状等を適宜設定する。
ホルダ本体２の両端部に設けられる開口部３の位置は、装着されるボトルの形状や重量によって適宜設定すればよい。両端部の開口３の位置が離れていると、２本目のボトルを装着或いは脱着する際に、他の１本のボトルの影響なく装脱着ができるので作業性が向上するという利点があるが、装着されたボトル間の距離（図５におけるｇ）が離れすぎると、ホルダ本体２の略中央部を把持して持ち上げたときに、ボトルホルダ１の撓みが大きくなり、ホルダが破損する虞が生じる。例えば、縦８０ｍｍ×横１５０ｍｍ×高さ３００ｍｍの２リットルペットボトルを２ヶ把持する場合には、小径部４の中心位置の距離を９０ｍｍ程度に設定するとよい。
【００１０】
ホルダ本体２の表面１１には、ボトルが装着される小径部４の内周側から所望の距離（小径部内にボトルが入っている場合に凸部の半径方向内側の区域でつば部を受ける距離）隔てて、凸部１２を形成するとよい。図２においては、開口３を全周に亘って取り巻くように凸部１２が、開口を画定する内周縁６、７及び８から隔てて形成されている。凸部１２を設けると、ボトルのつば部とボトルホルダとを嵌合させることができるので、より安定な把持が可能となる。前記特許文献３に記載されているように、内周縁から所望の距離だけ段差を設けてボトルを嵌合させてもよいが、ボトルホルダ２の内周縁が薄くなるがために保持し得る強度が低下するため、凸部１２を設けて嵌合させることが好ましい。
ボトルホルダ１は、更に、開口３の大径部内に配置された支持片１６を備えている。この支持片１６は、小径部４の内周縁６と共にボトルの首部を支持し得るもので、ボトルの装脱着時に撓み可能なもの（脆性を示さないもの）であればどのようなものでもよい。図２においては、ホルダ本体の長手方向中心線Ｘ−Ｘに沿って延びる長方形の薄い板状に形成され、その一端（ホルダ本体の端部側の端）がホルダ本体と一体的に形成された支持片１６が示されている。支持片１６は、ホルダ本体２の上表面１１に固定されると、ボトルホルダを装着して持ち上げがときのホルダ本体に生じる中央部上凸形の湾曲形状の撓みが小さくなり、ボトルホルダを安定して保持でき、さらにボトルの装脱着時における撓みによる支持片１６の折れ（破損）を抑制できることから好ましい。図２における支持片１６は凸部１２の高さとほぼ同じ厚さを有し、ホルダ本体の厚さ方向に見て、凸部と同じ平面内に存在するように形成されている。この場合、支持片１６とホルダ本体との固着面積が大きくなるため、ボトル装着時の撓みによる支持片１６の折れをさらに抑制することができる。また、支持片１６の他端（自由端）は、その先端がボトルの首部に係合するように、円弧面１７を形成させるとよい。支持片１６の自由端すなわち円弧面１７の位置は、小径部内にボトルの首部が所定に入っているとき、ボトルのキャップ周面と或いはキャップが取り付けられるねじ部と首部の間につば部が有る場合はつば部の周縁と係合してボトルの移動を阻止できる位置でも、或いはそれよりボトル側にのびていて、ボトルの首部が所定の位置に入っているとき、つば部の下側（首部側）に入ってつば部を下から支える位置でもよい。本実施形態（図５）では後者のように構成されている。
さらに、図４に示すように、支持片の裏面には、支持片１６の撓む方向に沿って補強の目的で凸部１８を設けるとよい。凸部１８には、支持片１６の撓みによる破損を抑制したり、撓んだ後の元の形状への戻りを促進する効果がある。
【００１１】
上記ボトルホルダを２本のボトル、例えば１．５リットル或いは２リットルのペットボトルの首部に装着する場合、立てた状態のボトルに対してホルダ本体２の表面１１を上にしてボトルのキャップが任意の一つの開口３の大径部４内に入り得るようにボトルホルダを位置決めし、そのボトルホルダをボトル側に押し下げると、薄い板状の支持片が撓んでキャップが大径部内に入る。キャップが大径部を通り抜けてボトルの首部がホルダ本体の位置になったとき、ボトルに関してボトルホルダを横方向移動させ、ボトルの首部を小径部内に移動させ、必要に応じ、支持片の自由端１８をボトルのつば部の下側となるように押し下げている。このようにして１本のボトルの首部へのボトルホルダの装着が完了する。次に同様にして残りのボトルの首部への上記ボトルホルダの装着を行う。このようにして、２本のボトルへの本発明のボトルホルダ１の装着が完了する。このとき、図５に示されるように、ボトル２０の口部２１と首部２２との間に形成されたつば部２３が、ホルダ本体２の上面１１上であって凸部１２の内周側（開口側）に載っている（嵌合している）。そして支持片１６の自由端はつば部２３の下側になり、下から支える形になっている。また、ボトルホルダが装着された２本のボルトの間には隙間ｇが形成されている。
【００１２】
上記のように装着されたボトルホルダの中央部を把持して２本のボトルを持ち上げると、ボトルホルダのホルダ本体は、ボトルの重さ、例えば１．５リットル型、２リットル型に応じて、中央部が上凸形状になるように湾曲状に撓む。この場合、ボトル本体の撓みにより、ボトルは、２本のボトルの底部が互いに接近するように口部が振られることになるが、ボトルの首部の外周と開口の小径部４の内周縁との間に隙間があるので、ボトルにはその自重により底部が互いに離れる方向のモーメントが加えられる。したがって、ボトルホルダとボトル及びボトルに取り付けられたキャップとの間の接触関係をみると、ボトルホルダの凸部１２の内側（開口３側）の上面１１で中心線Ｘ＝Ｘ上又はその近傍の中央線Ｙ−Ｙに最も近い位置の上面が、ボトルのつば部の下面と接触する。また、支持片１６は、この接触点とは直径方向略反対の位置でつば部の下側に位置していてつば部を下側から支えている。したがって、つば部の直径方向反対の２カ所でつば部を支えることになり、つば部の安定した支持を行うことができる。更に、ボトルホルダ１に関してボトル２０が横方向に移動しようとしても、支持片がボトルの首部２２に当たって移動は阻止され、ボトルが大径部から抜け落ちることはない。しかも支持片はボトル２０よりホルダ本体の中央側には存在しないので、ボトルホルダを把持したときにも、指を支持片で挟むこともなくなる。ボトルホルダからボトルを取り外すには、上記と反対の作業、すなわち、支持片１６を持ち上げて、ボトルを大径部に移動させるという簡単な作業だけでよい。
【００１３】
なお、上記実施形態では、ホルダ本体の全体的形状として二つの開口を有する長形の構造について説明したが、ホルダ本体を三つ又状の形状にして三つ又の各部の端部に開口を形成して合計３個の開口にし、３本のボトルを保持できるようにしてもよい。
【産業上の利用可能性】
【００１４】
本発明のボトルホルダは構造が簡単で取り扱いが簡便であるので複数本のボトルを結束、運搬、陳列を誰でも手軽に行うことができる。
【図面の簡単な説明】
【００１５】
【図１】従来のボトル保持具を説明する図である。
【図２】本発明のボトルホルダの一実施形態の上平面図である。
【図３】図２の線Ａ−Ａに沿って見た部分断面図である。
【図４】図１のボトルホルダの下面図である。
【図５】ボトルホルダをボトルの首部に装着した状態を示す図である。
【符号の説明】
【００１６】
１  ボトルホルダ                        ２  ホルダ本体
３  開口                                ４  小径部
５  大径部                              ６、７、８  内周縁
１１  上表面                            １２  凸部
１６  支持片
【図１】
2005313912.tif 000003
【図２】
2005313912.tif 000004
【図３】
2005313912.tif 000005
【図４】
2005313912.tif 000006
【図５】
2005313912.tif 000007